(57)【要約】  加熱調理器であって、被加熱部が収納される加熱庫（１１）と、表示器と、加熱庫（１１）に収納された被加熱物を加熱する加熱部（１２）と、加熱庫（１１）内を撮影する撮影部と、撮影部が撮影した画像から、被加熱物の情報を認識する認識部（１８）と、表示器が表示する内容を制御する表示制御部（１９）とを備えている。そして、表示制御部（１９）は、加熱部（１２）の加熱中に表示器に表示させる内容を、被加熱物の情報に基づいて、異ならせる。
2018186117.tif 000002
【特許請求の範囲】
【請求項１】
被加熱物が収納される加熱庫と、
表示器と、
前記加熱庫に収納された前記被加熱物を加熱する加熱部と、
前記加熱庫内を撮影する撮影部と、
前記撮影部が撮影した画像から、前記被加熱物の情報を認識する認識部と、
前記表示器が表示する内容を制御する表示制御部とを備え、
前記表示制御部は、前記加熱部の加熱中に前記表示器に表示させる内容を、前記被加熱物の情報に基づいて、異ならせる
加熱調理器。
【請求項２】
前記認識部が認識する前記情報は、前記被加熱物の種類情報である
請求項１に記載の加熱調理器。
【請求項３】
前記加熱部を制御する加熱制御部をさらに備え、
前記認識部は、さらに、前記被加熱物の加熱制御情報を認識し、
前記加熱制御部は、前記加熱制御情報に基づき前記加熱部を制御し、
前記表示制御部は、前記表示器に表示する内容を、前記加熱制御情報に基づいて、異ならせる
請求項１または請求項２に記載の加熱調理器。
【請求項４】
前記認識部は、前記被加熱物に付与された文字およびコードのうち、少なくともいずれかを読取り、前記被加熱物の情報を認識する
請求項１から請求項３までのいずれか１項に記載の加熱調理器。
【発明の詳細な説明】
【技術分野】
【０００１】
本開示は、食品を加熱する加熱調理器に関する。
【背景技術】
【０００２】
代表的な加熱調理器である電子レンジは、鍋およびフライパンを使うことなく、食品を容器に入れたままの状態で加熱することができ、利便性を有している。【０００３】
弁当または総菜等を容器に入れて販売する販売店においては、購入された商品を、店員が、電子レンジを使って加熱して提供するサービスが行われている。【０００４】
このような加熱のサービスについて説明する。一般に、弁当または総菜の容器には、電子レンジで加熱するのに最適な加熱時間が表示されている。そして、販売店の店員は、その表示を見て、電子レンジで加熱時間を設定し、弁当または惣菜を加熱する。電子レンジの操作部には、数字キー等が設けられており、販売店の店員が加熱時間（分、秒）を手動で設定する。【０００５】
また、電子レンジが複数の操作ボタンを備えており、各操作ボタンに、別々の加熱時間が割り当てられている場合もある。この場合、販売店の店員は、複数の操作ボタンから、加熱する商品に対応した操作ボタンを選択する。これにより、その商品に適した加熱制御で商品等を加熱して、購入客に商品を提供することができる。【０００６】
しかしながら、前者の構成のように、加熱時間（分、秒）を数字キーで設定する場合には、操作回数が多く、煩わしい操作になり、店員が間違った操作をしてしまう可能性がある。また、後者の構成、つまり、複数の操作ボタンそれぞれに、別々の加熱時間を割り当てられている場合には、商品とボタンとの対応付けを店員が記憶する必要があるので、数が増えてくると、記憶が困難になってくる。【０００７】
いずれにしても、間違った操作がなされてしまう可能性がある。【０００８】
これらの煩わしさおよび間違い等を解消するために、電子レンジに、商品毎の加熱制御内容を予め記憶させ、販売店の店員、または、購入客が、バーコードリーダを使って、商品に添付されているバーコードの情報（コード情報）を読み取ることが提案されている。電子レンジは、そのコード情報から、商品に対応した加熱制御内容を呼び出して、適切な加熱を行う。【０００９】
さらに、バーコードリーダを使うのでなく、電子レンジが庫内を撮影するカメラを備えており、庫内に投入された商品の画像から、バーコード部分を抽出して、そのバーコードを読み取る方法も提案されている。電子レンジは、コード情報から、商品に対応した加熱制御内容を呼び出して、適切な加熱を行う（例えば特許文献１）。【００１０】
上記のように、背景技術では、バーコードリーダまたはカメラを使う等して、電子レンジにコード情報を読み取らせる。そして、電子レンジは、コード情報から、その商品に対応した加熱制御内容を呼び出して、適切な加熱をする。そうすると、操作の煩わしさが解消され、操作の間違いもなくなり、使い勝手が向上する。
【先行技術文献】
【特許文献】
【００１１】
【特許文献１】特開２００１−３４９５４６号公報
【発明の概要】
【００１２】
本開示は、加熱の待ち時間を有効活用するものである。
【００１３】
本開示の加熱調理器は、被加熱物が収納される加熱庫と、表示器と、加熱庫に収納された被加熱物を加熱する加熱部と、加熱庫内を撮影する撮影部と、撮影部が撮影した画像から、被加熱物の情報を認識する認識部と、表示器が表示する内容を制御する表示制御部とを備えている。そして、表示制御部は、加熱部の加熱中に表示器に表示させる内容を、被加熱物の情報に基づいて、異ならせるように構成されている。
【００１４】
本開示によれば、加熱の待ち時間を有効活用できる。
【図面の簡単な説明】
【００１５】
【図１】図１は、本開示の第１の実施の形態における、加熱調理器の一例である電子レンジの外観を示す斜視図である。
【図２】図２は、本開示の第１の実施の形態における、加熱調理器の一例である電子レンジの概略構成を示す図である。
【図３】図３は、本開示の第１の実施の形態における、商品に付与されたシールの情報の一例を表す図である。
【図４】図４は、本開示の第１の実施の形態における、加熱前半の表示の例を示す図である。
【図５】図５は、本開示の第１の実施の形態における、加熱後半の表示の例を示す図である。
【図６】図６は、本開示の第１の実施の形態における、表示記憶部が記憶しているデータテーブルの一例を示す図である。
【図７】図７は、本開示の第１の実施の形態における、認識部、表示制御部、および、加熱制御部の動作の流れを説明するフローチャートである。
【図８】図８は、本開示の第２の実施の形態におけるシステムの構成について示す図である。
【図９】図９は、本開示の実施の形態における、表示を記憶するデータテーブルの一例を示す図である。
【図１０】図１０は、本開示の実施の形態における、表示を記憶するデータテーブルの一例を示す図である。
【発明を実施するための形態】
【００１６】
（本開示の基礎となる知見）
しかしながら、上述した従来の技術では、商品を加熱している間の待ち時間が依然として残る。このような待ち時間を有効利用して、購入客からは、推奨される商品情報を知りたいという要望がある。推奨される商品情報とは、期間限定で店舗が推奨、販売する商品の情報、および、購入した商品と同時に飲食することが推奨される商品等の情報である。また、店舗としては、待ち時間を有効利用して、推奨する商品情報を、購入客に提供したいという要望がある。
【００１７】
このため、例えば、店員が、購入客に、口頭で、「一緒に○○は、いかがですか。」と勧める方法が想定される。しかし、この方法は、店員が他の作業を行う必要がある場合には、実施が難しい。また、店員が、推奨の商品を記憶することには限界があるため、実施が難しい。
【００１８】
本開示の第１の態様は、被加熱物が収納される加熱庫と、表示器と、加熱庫に収納された被加熱物を加熱する加熱部と、加熱庫内を撮影する撮影部と、撮影部が撮影した画像から、被加熱物の情報を認識する認識部と、表示器が表示する内容を制御する表示制御部とを備えている。そして、表示制御部は、加熱部の加熱中に表示器に表示させる内容を、加熱部の情報に基づいて、異ならせるものである。
【００１９】
これによれば、被加熱物の加熱中に、被加熱物の情報に応じた表示内容を表示できる。これにより、例えば、店舗にとって推奨したい商品の情報、および、購入した商品と同時に飲食することが推奨される商品の情報を提供できる。よって、加熱の待ち時間を有効活用できる。
【００２０】
本開示の第２の態様として、認識部が認識する情報は、被加熱物の種類情報であってもよい。
【００２１】
これによれば、さらに、被加熱物の種類情報に応じた表示内容を表示できるので、購入した商品と同時に飲食することが推奨される商品等の情報を提供することができる。
【００２２】
本開示の第３の態様として、加熱部を制御する加熱制御部をさらに備え、認識部は、さらに、被加熱物の加熱制御情報を認識し、加熱制御部は加熱制御情報に基づき加熱部を制御し、表示器に表示する内容を、加熱制御情報に基づいて、異ならせるものであってもよい。
【００２３】
これによれば、さらに、被加熱物の加熱中に、被加熱物の種類情報と加熱情報とに応じた表示内容を表示できる。これにより、推奨の商品情報を、加熱時間に適した態様で表示することができる。よって、購入客は、加熱時間の経過を、表示内容の態様によって知ることもできる。
【００２４】
本開示の第４の態様として、認識部は、被加熱物に付与された文字およびコードのうち、少なくともいずれかを読取り、被加熱物の情報を認識するものであってもよい。
【００２５】
これによれば、さらに、店員が、被加熱物に適した推奨の商品情報を記憶したり、確認したりする煩わしさを解消できる。
【００２６】
以下、適宜図面を参照しながら、実施の形態を詳細に説明する。ただし、必要以上に詳細な説明は省略される場合がある。例えば、既によく知られた事項の詳細説明、および、実質的に同一の構成に対する重複説明を省略する場合がある。これは、以下の説明が不必要に冗長になるのを避け、当業者の理解を容易にするためである。
【００２７】
なお、添付される図面および以下の説明は、当業者が本開示を十分に理解するために提供されるのであって、これらにより、請求の範囲に記載の主題を限定することは意図されていない。
【００２８】
（第１の実施の形態）
図１は、本開示の第１の実施の形態における、加熱調理器の一例である電子レンジ１の外観を示す斜視図である。
【００２９】
図１に示されるように、電子レンジ１は、商品を格納するための筐体２を備え、筐体２に、商品を出し入れするためのドア３が設けられている。ドア３は、表示器としての液晶表示器４と、ドア３を開閉するときに掴む、取っ手５とを備えている。また、電子レンジ１は操作部６を備えていてもよい。後述するが、読み取られた加熱制御情報２６等に基づいて自動的に加熱される場合には、操作部６は備えなくともよい。
【００３０】
液晶表示器４は、カラー表示できることが望ましいが、白黒表示であってもよい。また、液晶以外の表示方式の表示器であってもよい。液晶表示器４は、ドア３の前面に設けられている。液晶表示器４は、電子レンジ１の加熱前、加熱中または加熱後に、各種表示を行って、使用者に情報を提供する。
【００３１】
操作部６は、ドア３の側方に設けられている。操作部６は、時間設定ボタン群７と、加熱開始ボタン８と、取消ボタン９と、一時停止ボタン１０とを備えている。電子レンジ１は、後述するように、加熱対象（被加熱物）である商品を、撮影部により撮影して、商品に表示されている、商品名ならびに加熱パワーおよび加熱時間を読み取る。液晶表示器４には、読み取られた加熱時間、および、お知らせの文字のうち、少なくともいずれかが表示される。また、電子レンジ１は、読み取られた加熱時間で商品を加熱する。そして、加熱中には、加熱中の商品に適した表示（詳細は後述する）が、液晶表示器４に表示される。
【００３２】
撮影部によって撮影された画像から、加熱時間がうまく読み取れなかった場合、および、加熱時間の表示されていない商品を加熱する場合のために、電子レンジ１には、時間設定ボタン群７が設けられている。使用者は、数字ボタン、ならびに「分」、および、「秒」のボタンを使って、加熱時間を設定することができる。この場合、液晶表示器４には、設定された加熱時間が表示される。
【００３３】
加熱開始ボタン８は、使用者が、液晶表示器４に表示された加熱時間を確認した後、加熱を開始するときに押すボタンである。
【００３４】
取消ボタン９は、使用者が加熱開始ボタン８を押して加熱を開始した後に、加熱途中で加熱を停止させる場合に押されたり、液晶表示器４に表示されている加熱時間の設定を取り消す場合に押されたりするボタンである。
【００３５】
一時停止ボタン１０は、使用者が、加熱途中で加熱を一時的に停止させる場合に押されるボタンである。また、加熱を一時停止した場合に、使用者が、再度、加熱開始ボタン８を押すことで、途中から残りの加熱が行われる。
【００３６】
図２は、本開示の第１の実施の形態における、電子レンジ１の概略構成を示す図である。
【００３７】
電子レンジ１は、高周波による商品等の加熱が可能であり、商品等の被加熱物を収納する加熱庫１１内に、高周波を出力する加熱部であるマグネトロン１２を備えている。電子レンジ１はマグネトロン１２により、高周波を加熱庫１１に供給して商品を加熱する。マグネトロン１２は、後述する加熱制御部２０により制御される。
【００３８】
電子レンジ１は、照明１３と、照明１３が設けられた側面と同じ面に設けられた、撮影部であるカメラ１４を備えている。カメラ１４は、加熱庫１１内の映像を撮影する。カメラ１４は、照明１３と同じ面に配置されているので、逆光の影響を受けることなく、加熱庫１１内を撮影できる。
【００３９】
筐体２には、ドア３の開閉検知のためのドアスイッチ１５が設けられている。ドア３は、閉じられる際に、このドアスイッチ１５を押し込むための突起部１６を備えている。
【００４０】
電子レンジ１は、装置全体の制御を行う、マイクロコンピュータおよびその周辺回路である制御部１７を備えている。電子レンジ１は、マイクロコンピュータ上で動作するプログラムにより、各種制御を実行する。図２において、制御部１７として示した枠内に、電子レンジ１のマイクロコンピュータによって実現される機能を表す機能ブロックが示されている。
【００４１】
なお、このマイクロコンピュータおよび周辺回路は、後述する制御を行うものであれば、どのような形態であってもよい。制御部１７は、演算処理部と、制御プログラムを記憶する記憶部とで構成されていてもよい。演算処理部としては、ＭＰＵ（Ｍｉｃｒｏ  Ｐｒｏｃｅｓｓｉｎｇ  Ｕｎｉｔ）、およびＣＰＵ（Ｃｅｎｔｒａｌ  Ｐｒｏｃｅｓｓｉｎｇ  Ｕｎｉｔ）が例示される。記憶部としては、メモリが例示される。記憶部に記録されている制御プログラムが、演算処理部によって実行される。
【００４２】
また、制御部１７は、ハードロジックで構成されてもよい。ハードロジックで構成すれば、処理速度の向上に有効である。各構成要素は、一つの半導体チップで構成されてもよいし、物理的に複数の半導体チップで構成されてもよい。複数の半導体チップで構成した場合には、後述する各制御を、それぞれ別の半導体チップで実現することもできる。
【００４３】
制御部１７は、認識部１８と、表示制御部１９と、加熱制御部２０とを備える。さらに、認識部１８は、加熱制御情報認識部２１と種類認識部２２と記憶部（図示せず）とを備える。表示制御部１９は、表示記憶部２３を備える。なお、記憶部および表示記憶部２３は、物理的に、同一のメモリ上に構成されてもよい。
【００４４】
加熱庫１１には、弁当、おにぎり、惣菜、および調理パン等から選択される食品である商品（被加熱物）が入れられる。複数の商品それぞれには、商品名、ならびに、商品の加熱制御情報としての、加熱パワーおよび加熱時間が表示された貼付物であるシール２４（図３参照）が貼付されている。認識部１８は、カメラ１４によって撮影された画像のうち、商品に貼付されているシール２４の情報の中から、商品名および加熱制御情報が表示されている箇所を抽出し、商品名の文字、および、加熱制御情報の文字（少なくとも数字を含む文字情報）を読み取る。
【００４５】
図３は、本開示の第１の実施の形態における、商品に付与されたシール２４の情報の一例を示す図である。
【００４６】
シール２４には、少なくとも、商品名２５と、加熱制御情報２６とが表示されている。さらに、シール２４には、金額情報２７、消費期限情報２８、商品を特定するコード記号の一例であるバーコード２９、栄養情報３０、および、お知らせ情報３１等、いろいろな情報が表示されていてもよい。これらの様々な情報の中から、商品名２５および加熱制御情報２６を抽出しやすいように、シール２４は、商品名２５と加熱制御情報２６とを囲むように形成された、矩形状の位置指定マークである目印枠３２を備えている。
【００４７】
なお、シール２４は、商品名２５を囲むように形成された、矩形状の位置指定マークである第１の目印枠と、加熱制御情報２６を囲むように形成された、矩形状の位置指定マークである第２の目印枠とを備えていてもよい。
【００４８】
このシール２４の加熱制御情報２６は、二通りの加熱制御情報を含んでいる。具体的には、本実施の形態のシール２４の加熱制御情報２６には、一般的な家庭用の電子レンジで加熱する時の目安として、例えば５００Ｗの加熱パワーで加熱する場合の加熱時間と、業務用の電子レンジで、大きい加熱パワーで短時間、加熱する時の目安として、例えば１５００Ｗの加熱パワーで加熱する場合の加熱時間とが併記されている。例えば、「５００Ｗ２分００秒１５００Ｗ０分４０秒」等と表示されている。
【００４９】
加熱制御情報２６は、一例として、所定の加熱パワーでの加熱量を表す第１文字列、「５００」、その加熱パワーの単位を表す第２文字列、「Ｗ」、その加熱パワーでの加熱時間である第３文字列、「２」、その加熱時間の単位を表す第４文字列、「分」、その加熱パワーでの加熱時間を示す第５文字列、「００」、および、その加熱時間の単位を表す第６文字列、「秒」とを、この順に含む文字列である（各文字列は一例である）。加熱制御情報２６は、さらに、前述した所定の加熱パワーよりも大きい加熱パワーの加熱量を表す第７文字列、「１５００」、その加熱パワーの単位を表す第８文字列、「Ｗ」、その加熱パワーでの加熱時間である第９文字列、「０」、その加熱時間の単位を表す第１０文字列、「分」、その加熱パワーでの加熱時間を示す第１１文字列、「４０」、および、その加熱時間の単位を表す第１２文字列、「秒」を、この順に含む文字列である。なお、上述した各文字列は一例である。
【００５０】
なお、この例において、加熱量および加熱時間を示す文字列は、数字で記述されている。
【００５１】
なお、本実施の形態では、第２文字列、および、第８文字列として、熱量を表すＳＩ単位である「Ｗ（ワット）」を用いたが、加熱パワーの単位を表すものであれば、他の文字または単位でもよい。また、第４文字列、第６文字列、第１０文字列、および、第１２文字列として、時間の単位を表す文字として「分」または「秒」を用いたが、時間の単位を表すものであれば、他の文字または単位でもよい。
【００５２】
認識部１８は、カメラ１４によって撮影された画像から、まず、目印枠３２を抽出する。次に、認識部１８の中の加熱制御情報認識部２１は、目印枠３２で囲まれた中の英数字を読み取る。すなわち、加熱制御情報認識部２１は、目印枠３２で囲まれた英数字を「５００Ｗ２００１５００Ｗ０４０」という文字列で読み取る。ここで、加熱制御情報認識部２１は、「分」、「秒」といった時間の単位を表す文字は読み取らない、または、読み取ったとしても解析には用いない。
【００５３】
そして、加熱制御情報認識部２１は、予め定められた解析ルールに従い、文字列を、「Ｗ」までの数字列、「Ｗ」の後の３桁の数字列、その数字列に続く「Ｗ」までの数字列、および、「Ｗ」の後の３桁の数字列の４つに分解して、「５００」、「２００」、「１５００」、「０４０」を得る。さらに、２番目の数字列および４番目の数字列のそれぞれは、最初の１桁が「分」であり、後の２桁が「秒」であるとして解析する。また、加熱制御情報認識部２１は、１番目の数字列が加熱パワーであり、２番目の数字列の時間と対応していて、３番目の数字列が加熱パワーであり、４番目の数字列の時間と対応しているとして解析する。この結果、加熱制御情報認識部２１は、「５００Ｗで２分」、「１５００Ｗで４０秒」という加熱制御情報を認識する。
【００５４】
次に、シール２４に表示された商品名２５について説明する。シール２４の商品名２５は、例えば、「幕の内弁当」、「焼肉弁当」、もしくは「唐揚げ弁当」等の弁当の名称、「鮭おにぎり」、「梅おにぎり」、もしくは「明太子おにぎり」のおにぎりの名称、または、「カレーパン」、「焼きそばパン」、もしくは「たまごパン」のパンの名称である。商品名２５は、商品の種類を示す種類情報と、食材情報との組合せで構成されるが、いずれか一方を含まない場合もある。
【００５５】
種類情報は、記憶部に登録された特定の文字列（単語）である。種類情報は、例えば、「弁当」、「おにぎり」、および「パン」である。食材情報は、商品の慣用名称（例えば、「幕の内」）、商品もしくは食品に含まれる食材、または、料理名称を示す名称である。食材情報の一例は、例えば、「焼肉」、「唐揚げ」、「鮭」、「梅」、「明太子」、「カレー」、「焼きそば」、および「たまご」である。
【００５６】
また、種類情報を含まない商品名２５は、例えば、惣菜商品の「肉じゃが」、「麻婆豆腐」、および「さばの味噌煮」である。
【００５７】
種類認識部２２は、目印枠３２に囲まれた文字列の中から、種類情報として記憶部に登録された、特定の単語を探す。例えば種類認識部２２は、「弁当」、「おにぎり」、または「パン」という単語が文字列にあるかどうかを探す。「幕の内弁当」、「焼肉弁当」、および「唐揚げ弁当」等は「弁当」の単語を含んでいて、「鮭おにぎり」、「梅おにぎり」、および「明太子おにぎり」等は「おにぎり」という単語を含んでいて、「カレーパン」、「焼きそばパン」、および「たまごパン」等は「パン」という単語を含んでいる。一方、「肉じゃが」、「麻婆豆腐」、および「さばの味噌煮」等は上述のいずれの単語も含んでいない。
【００５８】
これにより、認識部１８は、商品が、「弁当」という単語を含む弁当類なのか、「おにぎり」という単語を含むおにぎり類なのか、「パン」という単語を含む調理パン類なのか、いずれの単語も含まない惣菜類なのかを認識する。この例では、認識部１８は、商品の種類を四通りに分けて認識する。
【００５９】
つまり、認識部１８は、目印枠３２に囲まれた文字列から、種類情報を探し、記憶部に登録された種類情報に一致していれば、その種類情報に応じた種類に分類し、一致するものがなければ、その他の種類に分類する。これにより、認識部１８は、記憶部に登録された種類情報の数に、「１」を加えた数の商品の種類（以下、商品種類と称する）に、商品を分類する。
【００６０】
次に、電子レンジ１の動作について説明する。使用者は、ドア３を開けて、商品を加熱庫１１に入れ、ドア３を閉じる。制御部１７は、ドアスイッチ１５により、ドア３が開けられ、閉じられたことを検出すると、カメラ１４の撮影を行う。
【００６１】
カメラ１４により撮影された加熱庫１１内部の画像から、上述したように、加熱制御情報認識部２１が加熱制御情報を認識し、種類認識部２２が商品の種類を認識する。
【００６２】
加熱制御情報認識部２１は認識した二通りの加熱制御情報を、加熱制御部２０に送る。加熱制御部２０は、二通りの加熱制御情報のうち、電子レンジ１で使える加熱パワーの範囲内で、より大きいパワーの加熱制御情報を選択し、表示制御部１９に送る。表示制御部１９は、加熱制御部２０が選択した加熱制御情報に含まれる加熱時間を、液晶表示器４に表示する。
【００６３】
使用者は、液晶表示器４に適切な加熱時間が表示されたことを確認して、加熱開始ボタン８を押す。加熱制御部２０は、ドアスイッチ１５から、ドア３が閉じられていることを示す信号を受け、かつ、操作部６から、加熱開始ボタン８が押されたことを示す信号を受けると、加熱制御部２０が選択した加熱パワーおよび加熱時間で商品を加熱するよう、マグネトロン１２を制御する。
【００６４】
図４および図５に、加熱中の液晶表示器４の表示の例を示す。
【００６５】
図４は、本開示の第１の実施の形態における、加熱前半の液晶表示器４の表示の例を示す図である。図５は、本開示の第１の実施の形態における、加熱後半の液晶表示器４の表示の例を示す図である。
【００６６】
加熱中の液晶表示器４に表示される画像は、画面情報に配置されたテキスト表示部分３３と、画面中央に配置された画像表示部分３４と、画面下方に配置された加熱制御情報表示部分３５とを含んでいる。テキスト表示部分３３および画像表示部分３４に表示される内容は、それぞれ、表示記憶部２３に予め記憶されている。
【００６７】
テキスト表示部分３３には、購入客へのメッセージとして、定型テキストが表示される。表示記憶部２３には、一つ以上の定型テキストが登録されている。例えば、テキスト表示部分３３に表示する内容は二種類あり、一つは「あわせてご購入されることをお勧めします」との第１定型テキストであり、もう一つは「来週から販売される予定の商品です」との第２定型テキストである。
【００６８】
表示制御部１９は、加熱の残り時間に応じて、第１定型テキストと第２定型テキストとの切替えを行う。表示制御部１９は、テキスト表示部分３３に、加熱開始から、加熱制御部２０が選択した加熱制御情報に含まれる加熱時間のうち、所定割合（例えば、５０％）が経過するまでの間は、第１定型テキストの「あわせてご購入されることをお勧めします」を表示し、加熱時間のうち、所定割合（例えば、５０％）が経過後、加熱終了までの時間は、「来週から販売される予定の商品です」を表示させる。
【００６９】
また、加熱開始から、加熱制御部２０が選択した加熱制御情報に含まれる加熱時間のうち、所定割合（例えば、５０％）が経過するまでの間、表示制御部１９は、画像表示部分３４に、加熱中の商品の購入客に推奨する商品情報（以下、推奨商品情報と称する）を表示させる。推奨商品情報は、例えば、商品の外観画像と、商品名と、金額の文字画像とを含む画像（以下、推奨商品画像と称する）である。推奨商品画像は、表示記憶部２３に予め記憶されている。表示記憶部２３には、推奨商品画像が、商品種類ごとに、複数、登録されている。そして、複数の推奨商品画像は、優先順位とともに登録されている。つまり、複数の推奨商品画像は、商品種類である弁当類、おにぎり類、パン類、および惣菜類等の商品種類ごとに分類されて、また、それぞれの商品種類における優先順位を付けられて、記憶されている。
【００７０】
図６は、本開示の第１の実施の形態における、表示記憶部２３が記憶しているデータテーブルの一例を示す図である。
【００７１】
例えば、商品種類が、「幕の内弁当」、「焼肉弁当」、および「唐揚げ弁当」等の弁当類であれば、推奨商品画像として、味噌汁等の汁物商品と、お茶等の飲料商品とが登録されている。商品種類が、「鮭おにぎり」、「梅おにぎり」、および「明太子おにぎり」等の、おにぎり類であれば、推奨商品画像として、惣菜商品と、お茶等の飲料商品とが登録されている。商品種類が、「カレーパン」、「焼きそばパン」、および「たまごパン」等のパン類であれば、牛乳等の乳性飲料商品と、ジュース等の清涼飲料商品とが、推奨商品画像として登録されている。商品種類が、「肉じゃが」、「麻婆豆腐」、および「さばの味噌煮」等の惣菜類であれば、推奨商品画像として、白ご飯、または、おにぎりなどのごはん類の商品と、お茶等の飲料商品とが登録されている。
【００７２】
加熱が開始されると、加熱時間が、加熱制御部２０が選択した加熱制御情報に含まれる加熱時間のうち、所定割合（例えば、５０％）を経過するまで、表示制御部１９は、種類認識部２２で認識された商品種類に応じて、表示記憶部２３で分類して記憶されている情報の中から、優先順位の高い推奨商品画像から順に、所定時間（例えば、５秒）ごとに切り替えながら、画像表示部分３４に表示させることを繰り返す。
【００７３】
例えば、種類認識部２２が認識した商品種類が弁当類であれば、それにあわせて購入することがお勧めされる、味噌汁等の汁物商品の商品画像と、お茶等の飲料商品の商品画像とが、優先順位に応じて順次表示される。商品種類がおにぎり類であれば、あわせて購入することがお勧めされる、惣菜商品の商品画像と、お茶等茶系飲料商品の商品画像とが、優先順位に応じて順次表示される。また、商品種類がパン類であれば、あわせて購入することがお勧めされる、牛乳等の乳性飲料商品の商品画像と、ジュース等の清涼飲料商品の商品画像とが表示される。商品種類が惣菜類であれば、あわせて購入することがお勧めされる、おにぎり類の商品の商品画像と、お茶等の茶系飲料商品の商品画像とが、優先順位に応じて順次表示される。
【００７４】
次に、加熱時間が、加熱制御部２０が選択した加熱制御情報に含まれる加熱時間のうち、所定割合（例えば、５０％）経過後、加熱制御部２０が選択した加熱制御情報に含まれる加熱時間を経過するまでに、表示制御部１９が行う表示について説明する。
【００７５】
表示記憶部２３には、さらに、今後発売される予定の新商品の情報（以下、新商品情報と称する）の複数の商品画像も記憶されている。新商品情報は、商品種類とは関連することなく、複数の商品画像が、優先順位を付けられて記憶されている。
【００７６】
加熱時間が、加熱制御部２０が選択した加熱制御情報に含まれる加熱時間のうち、所定割合（例えば、５０％）経過後、加熱制御部２０が選択した加熱制御情報に含まれる加熱時間を経過するまでに、表示制御部１９は、画像表示部分３４に、新商品情報の商品画像を、所定時間（例えば、５秒）ごとに切り替えながら、順次表示させる。
【００７７】
このように、加熱時間の前半には、加熱中の商品と同時に購入することをお勧めする商品の商品画像が液晶表示器４に表示され、後半には、今後発売が予定されている新商品の商品画像が液晶表示器４に表示される。この順序は逆でも構わない。
【００７８】
加熱制御情報表示部分３５には、加熱終了までの残り時間が表示される。また、加熱中の加熱パワーが表示されてもよい。
【００７９】
図７は、本開示の第１の実施の形態における、認識部１８、表示制御部１９、および、加熱制御部２０の動作の流れを説明するフローチャートである。
【００８０】
図７には、ドア３が開いた状態からの動作が示されている。つまり、図７のフローチャートは、商品の購入者が、ドア３を開けて中に商品を入れた状態から始まる。
【００８１】
ステップＳ６０１で、制御部１７は、ドアスイッチ１５によりドア３が閉じられたか否かを検出する。ドア３が閉じられたことを制御部１７が検知したら（Ｓ６０１，ＹＥＳ）、ステップＳ６０２に進む。一方、ドア３が閉じられたことを制御部１７が検知しなければ（Ｓ６０１，ＮＯ）、制御部１７は、ステップＳ６０１でドア３を閉じられるのを待つ。
【００８２】
ステップＳ６０２で、制御部１７は、カメラ１４により、加熱庫１１内の画像を撮影する。
【００８３】
ステップＳ６０３で、認識部１８は、カメラ１４が撮影した加熱庫１１内の商品の画像から目印枠３２を探し、目印枠３２が存在するか否かを認識する。目印枠３２が見つかれば（Ｓ６０３，ＹＥＳ）、ステップＳ６０４に進む。一方、目印枠３２が見つからなければ（Ｓ６０３，ＮＯ）ステップＳ６１３に進む。
【００８４】
ステップＳ６０４で、種類認識部２２は、見つけられた目印枠３２の中の商品名２５から、種類情報（キーワード）として、例えば「弁当」、「おにぎり」、または「パン」という単語があるかどうかを認識してステップＳ６０５に進む。
【００８５】
ステップＳ６０５で、種類認識部２２は、「弁当」が見つかれば弁当類、「おにぎり」が見つかればおにぎり類、「パン」が見つかればパン類、いずれも見つからなければ惣菜類として、商品を分類する。そして、種類認識部２２は、分類された情報を表示制御部１９に送り、ステップＳ６０６に進む。
【００８６】
ステップＳ６０６では、加熱制御情報２６が、目印枠３２の中に書かれている加熱制御情報を、例えば「５００Ｗで２分」、「１５００Ｗで４０秒」と認識して、認識結果を加熱制御部２０に送る。そして、ステップＳ６０７に進む。
【００８７】
ステップＳ６０７では、加熱制御部２０は、加熱開始ボタン８が押されるのを待つ。また併せて、加熱制御部２０は、ドアスイッチ１５によりドア３が閉じられていることを確認する。加熱制御部２０が、ドア３が閉じられていて加熱開始ボタン８が押されたことを検知できれば（Ｓ６０７，ＹＥＳ）、ステップＳ６０８に進む。一方、加熱開始ボタン８が押されているという条件、および、ドア３が閉じられているという条件のうち、いずれかが満たされていない場合には（Ｓ６０７，ＮＯ）、ステップＳ６０７が繰り返される。
【００８８】
ステップＳ６０８で、加熱制御部２０は、マグネトロン１２を駆動して加熱を開始する。加熱制御部２０は、加熱制御情報認識部２１から送られた二通りの加熱制御情報のうち、電子レンジ１で使える加熱パワーの範囲内で、より大きいパワーの方の、加熱パワーと加熱時間を選択する。例えば、電子レンジ１が、業務用の電子レンジであれば、加熱制御部２０は、１５００Ｗと４０秒とを選択し、１５００Ｗの加熱パワーで４０秒加熱するように制御する。そして、ステップＳ６０９に進む。
【００８９】
ステップＳ６０９で、表示制御部１９は、液晶表示器４に、種類認識部２２が分類した、商品の分類に応じた内容を表示させる。例えば、加熱庫１１内の商品が幕の内弁当であり、種類認識部２２が弁当類と分類したのであれば、表示制御部１９は、それに対応した推奨商品、例えば味噌汁等の汁物商品、および、お茶等の茶系飲料商品等の画像を、表示記憶部２３から呼び出す。また、表示制御部１９は、それに対応した定型テキスト、例えば、「あわせてご購入されることをお勧めします」を、表示記憶部２３から呼び出す。
【００９０】
そして、表示制御部１９は、画像表示部分３４に、所定時間（例えば、５秒）間隔で、複数の画像を切り替えながら表示させる。また、表示制御部１９は、テキスト表示部分３３に「あわせてご購入されることをお勧めします」の文字を表示させる。また、表示制御部１９は、加熱制御情報表示部分３５に、加熱の残り時間をカウントダウンさせながら表示させる。そしてステップＳ６１０に進む。
【００９１】
ステップＳ６１０において、表示制御部１９は、加熱時間が、加熱制御部２０が選択した加熱時間のうち、所定割合（例えば、５０％）を経過したかどうかを判定する。例えば、表示制御部１９は、加熱制御部２０が行っている加熱時間が４０秒であれば、加熱開始からの時間が２０秒を経過したかどうかを判定する。所定割合（例えば、５０％）が経過したのであれば（Ｓ６１０，ＹＥＳ）、ステップＳ６１１に進む。一方、所定割合が経過していなければ（Ｓ６１０，ＮＯ）、ステップＳ６０９に戻る。
【００９２】
ステップＳ６１１では、表示制御部１９は、液晶表示器４に、表示記憶部２３から呼び出された新商品情報を表示する。具体的には、表示制御部１９は、画像表示部分３４に、今後発売予定の商品の商品画像を、所定時間（例えば、５秒）間隔で、複数切り替えながら表示する。また、表示制御部１９は、テキスト表示部分３３に、表示記憶部２３から呼び出した定型テキスト、例えば、「来週から販売される予定の商品です」の文字を表示する。また、表示制御部１９は、加熱制御情報表示部分３５に、加熱終了までの残り時間をカウントダウンさせながら表示させて、ステップＳ６１２に進む。
【００９３】
ステップＳ６１２において、表示制御部１９は、加熱制御部２０が選択した加熱時間が経過して、加熱が終了したかどうかを判定し、加熱が終了していれば（Ｓ６１２，ＹＥＳ）処理を終了する。一方、加熱が終了していないのであれば（Ｓ６１２，ＮＯ）、ステップＳ６１１に戻る。
【００９４】
ステップＳ６０３において、目印枠３２が見つからない場合（Ｓ６０３，ＮＯ）は、ステップＳ６１３に進む。
【００９５】
ステップＳ６１３に進んだ場合には、加熱時間を自動的には設定できないので、使用者が、時間設定ボタン群７を使って加熱時間を設定する。この場合には、商品分類もわからないので、ステップＳ６０９に進むことなく、ステップＳ６１１に進む。ステップＳ６１１では、すでに述べたように、今後発売予定の商品の商品画像が表示される。
【００９６】
このようにして、本実施の形態によれば、カメラ１４が撮影した加熱庫１１内部の画像から、認識部１８の種類認識部２２が商品の種類を認識する。そして、表示制御部１９が、種類認識部２２の認識した結果により、液晶表示器４の表示内容を制御する。これにより、店舗にとって推奨したい商品の情報、および、購入した商品と同時に飲食することが推奨される商品情報を、加熱待ち時間中にお知らせできる。このため、加熱待ち時間を有効活用できる。
【００９７】
（第２の実施の形態）
次に、本開示の第２の実施の形態として、表示記憶部２３を、電子レンジ１とは別のサーバ装置３６に設けたシステム例について、図８に基づいて説明する。
【００９８】
図８は、本開示の第２の実施の形態におけるシステムの構成について示す図である。
【００９９】
図８において、電子レンジ１の制御部１７は通信部３７を備えており、種類認識部２２で認識された、商品の種類情報が、通信部３７からサーバ装置３６に送信される。サーバ装置３６では、通信部３８で種類情報を受信し、表示記憶部２３に記憶する。この場合、表示記憶部２３を電子レンジ１に設ける必要がない。
【０１００】
サーバ装置３６では、受信した種類情報に基づいて、表示記憶部２３に記憶されている複数の表示情報の中から、種類情報に合わせた表示内容を抽出して、通信部３８から送信する。制御部１７は、通信部３７で表示内容を示す情報を受信し、表示制御部１９が液晶表示器４を制御して表示させる。
【０１０１】
上述したように、第２の実施の形態によれば、サーバ装置３６を複数の電子レンジ１と繋ぐことができ、例えば情報集約センターに一台のサーバ装置３６を設置して、系列の多くの店舗の電子レンジと繋ぐことで、表示情報の更新等も効率よく行うことができる。
【０１０２】
なお、上述した各実施の形態では、種類認識部２２は、商品名に含まれるキーワードから商品種類を認識して分類するとしたが、本開示はこれに限定されない。例えば、文字のキーワードではなく、バーコード等の記号情報に基づいて分類をしてもよい。また、画像から、例えば色分布の解析等により、ごはん類、パン類、および惣菜類等の商品種類を認識して分類してもよい。
【０１０３】
図９および図１０は、本開示の実施の形態における、表示を記憶するデータテーブルの一例を示す図である。
【０１０４】
上述した各実施の形態では、商品の種類を認識して分類したが、種類ではなく、金額情報２７を基に分類してもよい。例えば、金額情報２７に基づいて商品を分類するのであれば、図９に示されるように、金額の総額を、例えば１０００円と予め決めておき、認識した金額情報２７との差額、つまり残った金額で購入可能な商品を、推奨商品として表示してもよい。
【０１０５】
また、商品の種類および金額情報でなく、栄養情報３０を基に商品を分類してもよい。
【０１０６】
例えば、図１０に示されるように、カロリーの上限を例えば１０００ｋｃａｌと予め決めておき、認識した栄養情報３０にある熱量との差を算出して、残りのカロリーの範囲内の商品を推奨商品として表示してもよい。また、認識した栄養情報３０にある栄養素において、不足している栄養素を補う商品を、推奨商品として表示してもよい。そして、種類情報、金額情報、および栄養情報のうち、少なくともいずれかの情報等を組合せて推奨商品を表示してもよい。
【０１０７】
また、各実施の形態で説明した商品画像は、静止画であっても、動画であってもよい。商品画像が動画である場合には、加熱制御部２０が選択した加熱時間に応じて、表示制御部１９が、動画の再生時間を、圧縮したり、伸張したりしてもよい。
【０１０８】
なお、上述の各実施の形態は、本開示における技術を例示するためのものであるから、特許請求の範囲またはその均等の範囲において、種々の変更、置き換え、付加、および省略等を行うことができる。
【産業上の利用可能性】
【０１０９】
以上のように本開示によれば、使用者が商品を加熱庫内に入れて加熱すると、加熱待ち時間中に、加熱中の商品と同時に食べたり飲んだりすることが推奨される商品情報を知らせることができる。これにより、店員等の煩わしさを解消することができるので、販売店で使われる電子レンジの他、家庭用の電子レンジ、炊飯器、および、ＩＨクッキングヒータ等、加熱調理器全般に適用でき、有用である。
【符号の説明】
【０１１０】
１    電子レンジ
２    筐体
３    ドア
４    液晶表示器（表示器）
５    取っ手
６    操作部
７    時間設定ボタン群
８    加熱開始ボタン
９    取消ボタン
１０    一時停止ボタン
１１    加熱庫
１２    マグネトロン（加熱部）
１３    照明
１４    カメラ（撮影部）
１５    ドアスイッチ
１６    突起部
１７    制御部
１８    認識部
１９    表示制御部
２０    加熱制御部
２１    加熱制御情報認識部
２２    種類認識部
２３    表示記憶部
２４    シール
２５    商品名
２６    加熱制御情報
２７    金額情報
２８    消費期限情報
２９    バーコード
３０    栄養情報
３１    お知らせ情報
３２    目印枠
３３    テキスト表示部分
３４    画像表示部分
３５    加熱制御情報表示部分
３６    サーバ装置
３７，３８    通信部
【図１】
2018186117.tif 000003
【図２】
2018186117.tif 000004
【図３】
2018186117.tif 000005
【図４】
2018186117.tif 000006
【図５】
2018186117.tif 000007
【図６】
2018186117.tif 000008
【図７】
2018186117.tif 000009
【図８】
2018186117.tif 000010
【図９】
2018186117.tif 000011
【図１０】
2018186117.tif 000012
【国際調査報告】
2018186117.tif 000013
2018186117.tif 000014
2018186117.tif 000015
2018186117.tif 000016